(57)【要約】【課題】本発明は多機能子供浴室玩具を開示した。【解決手段】玩具本体を含み、前記玩具本体の中には貯蔵チャンバが設けられ、前記貯蔵チャンバの上方には液体チャンバが設けられ、移動板を回転させ、固定板を伸長することができ、補助ブロックによって角度を調整でき、第一吸盤を浴槽の壁に吸着させ、第二吸盤を浴槽の縁に吸着させ、玩具本体を固定し、子供が遊ぶ時投げまくって損害に致すことを防止し、水流れ機構によって浴槽内の水を吸い上げてまた水が流出穴から流出することができ、子供にため遊びの機能を提供し、貯蔵機構によって石鹸とシャワージェルを貯蔵でき、押しヘッドを押してシャワージェルを取り出すことができ、玩具に貯蔵機能を持たせる。【選択図】図１
2020157020.tif 000002
【特許請求の範囲】
【請求項１】
玩具本体を含み、前記玩具本体の中には貯蔵チャンバが設けられ、前記貯蔵チャンバの上方には液体チャンバが設けられ、前記貯蔵チャンバと前記液体チャンバの中にはシャワージェルを貯蔵できる貯蔵機構が設けられ、前記貯蔵機構の中には球体チャンバが含まれ、前記球体チャンバの上方にはバネチャンバが連通して設けられ、前記バネチャンバの上方にはプッシュホールが連通して設けられ、前記貯蔵機構の下方には固定機能を有する固定機構が設けられ、前記固定機構の中には移動チャンバが設けられ、前記移動チャンバの中には伸縮板がスライドできるように係合取付けられ、前記移動チャンバの右側にはリミットチャンバが連通して設けられ、前記リミットチャンバの中にはリミット板がスライドできるように係合取付けられ、前記玩具本体の中には水が流れられる水流れ機構が設けられ、前記水流れ機構の中には歯車チャンバが設けられ、前記歯車チャンバの下方には進入パイプが連通して設けられ、前記歯車チャンバの上方には流出穴が連通して設けられることを特徴とする多機能子供浴室玩具。
【請求項２】
前記固定機構は前後対称のように前記玩具本体の底部端面に固定的に取付けられる回転板を含み、前後の前記回転板の間には移動板が回転できるように係合取付けられ、前記移動板の前側端面にはねじりばねが固定的に取付けられ、前記移動チャンバが前記移動板の中に設置され、前記移動板の下方には固定板が設けられ、前記伸縮板と前記固定板が固定的に接続され、前記リミット板と前記伸縮板とが固定的に接続され、前記リミット板の底部端面と前記リミットチャンバの底壁との間には第一バネが固定的に取付けられ、前記固定板の中には右方に開口した固定チャンバが設けられ、前記固定チャンバの前後内壁の間には補助ロッドが回転できるように係合取付けられ、前記補助ロッドには補助ブロックが固定的に取付けられ、前記補助ブロックの右側端面には第一吸盤が固定的に取付けられ、前記玩具本体の底部端面において前記回転板の右側には安定ブロックが固定的に取付けられ、前記安定ブロックの中には補助チャンバが設けられ、前記補助チャンバの中にはリミットブロックが左右対称的にスライドできるように係合取付けられ、左右の前記リミットブロックの間には引張ロッドが固定的に取付けられ、前記引張ロッドの底部端面には第二吸盤が固定的に取付けられ、これにより移動板を回転させ、固定板を伸長することができ、補助ブロックによって角度を調整でき、第一吸盤を浴槽の壁に吸着させ、第二吸盤を浴槽の縁に吸着させ、玩具本体を固定することを特徴とする請求項１に記載の多機能子供浴室玩具。
【請求項３】
前記貯蔵機構は前記貯蔵チャンバの中にスライドできるように係合取付けられる貯蔵箱を含み、前記貯蔵箱の中には上方に開口した置き溝が設けられ、前記置き溝の中には石鹸が置かれ、前記貯蔵箱の右側端面には尻尾が固定的に取付けられ、前記液体チャンバの頂壁には前記玩具本体の頂部端面を貫通するパイプが固定的に取付けられ、前記パイプには蓋がねじ山によって係合取付けられ、前記玩具本体の頂部端面には押し箱が固定的に取付けられ、前記球体チャンバが前記押し箱の中に設置され、前記球体チャンバの底壁には前記液体チャンバの頂壁を貫通するストローが固定的に取付けられ、前記球体チャンバの中には球体が置かれ、前記押し箱の頂部端面の中には押しヘッドがスライドできるように係合取付けられ、前記プッシュホールが前記押しヘッドの中に設置され、前記押しヘッドの底部端面と前記バネチャンバの底壁との間には第二バネが固定的に取付けられ、これにより尻尾によって貯蔵箱を開け、置き溝の中に石鹸を置いて使うことができ、蓋を回して外し、パイプを通じてシャワージェルを液体チャンバの中に入れ、シャワージェルを使おうとする時、押しヘッドを押し、第二バネを圧縮させ、バネチャンバの中の空気がプッシュホールから排出され、放す時、バネチャンバの中の気圧が小さくなり、液体チャンバの中のシャワージェルがストローから球体チャンバとバネチャンバの中に入り、再び押しヘッドを押し、球体がストローを遮り、バネチャンバと球体チャンバの中のシャワージェルがプッシュホールから排出されることを特徴とする請求項１に記載の多機能子供浴室玩具。
【請求項４】
前記水流れ機構は前記歯車チャンバの前後内壁の間に回転できるように係合取付けられる歯車軸を含み、前記歯車軸には第一歯車が固定的に取付けられ、前記歯車チャンバの後側内壁には前記玩具本体の前側端面を貫通する握りロッドが回転できるように係合取付けられ、前記握りロッドにおいて前記歯車チャンバの中には第二歯車が固定的に取付けられ、前記第二歯車が前記第一歯車と噛み合い、手動で握りロッドを回し、第二歯車を回転連動させ、第二歯車が噛合によって第一歯車を回転連動させ、歯車ポンプを形成し、進入パイプを経由して水を吸上げ、流出穴から送り出すことを特徴とする請求項１に記載の多機能子供浴室玩具。
【発明の詳細な説明】
【技術分野】
【０００１】
本発明は玩具分野に関し、具体的には多機能子供浴室玩具である。
【背景技術】
【０００２】
子供が入浴する時に、楽しませるため玩具が常備品になっており、現有技術において、一般的な子供浴室玩具は遊びものとして、その中にシャワージェルなどを置いて使うことができなく、また、固定できないため、子供がよく投げまくって破損に致すこともあり、従って、固定でき、且つシャワージェルなどを置くことができる多機能子供浴室玩具が必要である。。
【先行技術文献】
【特許文献】
【０００３】
【特許文献１】中国特許出願公開第１０５９０３２１０号明細書
【発明の概要】
【発明が解決しようとする課題】
【０００４】
本発明の目的は多機能子供浴室玩具を提供し、それは上記の現在の技術中の問題を解決できる。
【課題を解決するための手段】
【０００５】
本発明は以下の技術プランを通じて実現する：本発明の多機能子供浴室玩具は、玩具本体を含み、前記玩具本体の中には貯蔵チャンバが設けられ、前記貯蔵チャンバの上方には液体チャンバが設けられ、前記貯蔵チャンバと前記液体チャンバの中にはシャワージェルを貯蔵できる貯蔵機構が設けられ、前記貯蔵機構の中には球体チャンバが含まれ、前記球体チャンバの上方にはバネチャンバが連通して設けられ、前記バネチャンバの上方にはプッシュホールが連通して設けられ、前記貯蔵機構の下方には固定機能を有する固定機構が設けられ、前記固定機構の中には移動チャンバが設けられ、前記移動チャンバの中には伸縮板がスライドできるように係合取付けられ、前記移動チャンバの右側にはリミットチャンバが連通して設けられ、前記リミットチャンバの中にはリミット板がスライドできるように係合取付けられ、前記玩具本体の中には水が流れられる水流れ機構が設けられ、前記水流れ機構の中には歯車チャンバが設けられ、前記歯車チャンバの下方には進入パイプが連通して設けられ、前記歯車チャンバの上方には流出穴が連通して設けられる。
【０００６】
優選的には、前記固定機構は前後対称のように前記玩具本体の底部端面に固定的に取付けられる回転板を含み、前後の前記回転板の間には移動板が回転できるように係合取付けられ、前記移動板の前側端面にはねじりばねが固定的に取付けられ、前記移動チャンバが前記移動板の中に設置され、前記移動板の下方には固定板が設けられ、前記伸縮板と前記固定板が固定的に接続され、前記リミット板と前記伸縮板とが固定的に接続され、前記リミット板の底部端面と前記リミットチャンバの底壁との間には第一バネが固定的に取付けられ、前記固定板の中には右方に開口した固定チャンバが設けられ、前記固定チャンバの前後内壁の間には補助ロッドが回転できるように係合取付けられ、前記補助ロッドには補助ブロックが固定的に取付けられ、前記補助ブロックの右側端面には第一吸盤が固定的に取付けられ、前記玩具本体の底部端面において前記回転板の右側には安定ブロックが固定的に取付けられ、前記安定ブロックの中には補助チャンバが設けられ、前記補助チャンバの中にはリミットブロックが左右対称的にスライドできるように係合取付けられ、左右の前記リミットブロックの間には引張ロッドが固定的に取付けられ、前記引張ロッドの底部端面には第二吸盤が固定的に取付けられる。
【０００７】
優選的には、前記貯蔵機構は前記貯蔵チャンバの中にスライドできるように係合取付けられる貯蔵箱を含み、前記貯蔵箱の中には上方に開口した置き溝が設けられ、前記置き溝の中には石鹸が置かれ、前記貯蔵箱の右側端面には尻尾が固定的に取付けられ、前記液体チャンバの頂壁には前記玩具本体の頂部端面を貫通するパイプが固定的に取付けられ、前記パイプには蓋がねじ山によって係合取付けられ、前記玩具本体の頂部端面には押し箱が固定的に取付けられ、前記球体チャンバが前記押し箱の中に設置され、前記球体チャンバの底壁には前記液体チャンバの頂壁を貫通するストローが固定的に取付けられ、前記球体チャンバの中には球体が置かれ、前記押し箱の頂部端面の中には押しヘッドがスライドできるように係合取付けられ、前記プッシュホールが前記押しヘッドの中に設置され、前記押しヘッドの底部端面と前記バネチャンバの底壁との間には第二バネが固定的に取付けられる。
【０００８】
前記水流れ機構は前記歯車チャンバの前後内壁の間に回転できるように係合取付けられる歯車軸を含み、前記歯車軸には第一歯車が固定的に取付けられ、前記歯車チャンバの後側内壁には前記玩具本体の前側端面を貫通する握りロッドが回転できるように係合取付けられ、前記握りロッドにおいて前記歯車チャンバの中には第二歯車が固定的に取付けられ、前記第二歯車が前記第一歯車と噛み合う。
【発明の効果】
【０００９】
本発明の有益効果は：本発明は構造が簡単で、操作が便利で、固定機構の中の第一吸盤と第二吸盤によって玩具本体を浴槽に固定し、子供が遊ぶ時投げまくって損害に致すことを防止し、水流れ機構によって浴槽内の水を吸い上げてまた水が流出穴から流出することができ、子供にため遊びの機能を提供し、貯蔵機構によって石鹸とシャワージェルを貯蔵でき、押しヘッドを押してシャワージェルを取り出すことができ、玩具に貯蔵機能を持たせ、宣伝価値がある。
【図面の簡単な説明】
【００１０】
【図１】図１は本発明の構成略図である；
【図２】図２は図１のＡ−Ａの断面構造略図である；
【図３】図３は図１のＢの拡大略図である；
【発明を実施するための形態】
【００１１】
下記に図１−３を合わせて本発明について詳しく説明し、また、説明の便利を図るため、下記に記載の上下左右前後方向が図１自身の投影関係の上下左右前後方向と一致することにする。
【００１２】
図１−３を参照し、本発明の多機能子供浴室玩具は、玩具本体１１を含み、前記玩具本体１１の中には貯蔵チャンバ１６が設けられ、前記貯蔵チャンバ１６の上方には液体チャンバ４０が設けられ、前記貯蔵チャンバ１６と前記液体チャンバ４０の中にはシャワージェルを貯蔵できる貯蔵機構８０が設けられ、前記貯蔵機構８０の中には球体チャンバ４８が含まれ、前記球体チャンバ４８の上方にはバネチャンバ４７が連通して設けられ、前記バネチャンバ４７の上方にはプッシュホール４４が連通して設けられ、前記貯蔵機構８０の下方には固定機能を有する固定機構７０が設けられ、前記固定機構７０の中には移動チャンバ２９が設けられ、前記移動チャンバ２９の中には伸縮板２０がスライドできるように係合取付けられ、前記移動チャンバ２９の右側にはリミットチャンバ２６が連通して設けられ、前記リミットチャンバ２６の中にはリミット板２８がスライドできるように係合取付けられ、前記玩具本体１１の中には水が流れられる水流れ機構９０が設けられ、前記水流れ機構９０の中には歯車チャンバ１４が設けられ、前記歯車チャンバ１４の下方には進入パイプ１７が連通して設けられ、前記歯車チャンバ１４の上方には流出穴１５が連通して設けられる。
【００１３】
有益なまた例を示すように、前記固定機構７０は前後対称のように前記玩具本体１１の底部端面に固定的に取付けられる回転板１８を含み、前後の前記回転板１８の間には移動板１９が回転できるように係合取付けられ、前記移動板１９の前側端面にはねじりばね３０が固定的に取付けられ、前記移動チャンバ２９が前記移動板１９の中に設置され、前記移動板１９の下方には固定板２１が設けられ、前記伸縮板２０と前記固定板２１が固定的に接続され、前記リミット板２８と前記伸縮板２０とが固定的に接続され、前記リミット板２８の底部端面と前記リミットチャンバ２６の底壁との間には第一バネ２７が固定的に取付けられ、前記固定板２１の中には右方に開口した固定チャンバ２２が設けられ、前記固定チャンバ２２の前後内壁の間には補助ロッド２３が回転できるように係合取付けられ、前記補助ロッド２３には補助ブロック２４が固定的に取付けられ、前記補助ブロック２４の右側端面には第一吸盤２５が固定的に取付けられ、前記玩具本体１１の底部端面において前記回転板１８の右側には安定ブロック３５が固定的に取付けられ、前記安定ブロック３５の中には補助チャンバ３１が設けられ、前記補助チャンバ３１の中にはリミットブロック３２が左右対称的にスライドできるように係合取付けられ、左右の前記リミットブロック３２の間には引張ロッド３４が固定的に取付けられ、前記引張ロッド３４の底部端面には第二吸盤３３が固定的に取付けられ、これにより移動板１９を回転させ、固定板２１を伸長することができ、補助ブロック２４によって角度を調整でき、第一吸盤２５を浴槽の壁に吸着させ、第二吸盤３３を浴槽の縁に吸着させ、玩具本体１１を固定する。
【００１４】
有益なまた例を示すように、前記貯蔵機構８０は前記貯蔵チャンバ１６の中にスライドできるように係合取付けられる貯蔵箱３９を含み、前記貯蔵箱３９の中には上方に開口した置き溝３８が設けられ、前記置き溝３８の中には石鹸３７が置かれ、前記貯蔵箱３９の右側端面には尻尾３６が固定的に取付けられ、前記液体チャンバ４０の頂壁には前記玩具本体１１の頂部端面を貫通するパイプ４１が固定的に取付けられ、前記パイプ４１には蓋４２がねじ山によって係合取付けられ、前記玩具本体１１の頂部端面には押し箱５０が固定的に取付けられ、前記球体チャンバ４８が前記押し箱５０の中に設置され、前記球体チャンバ４８の底壁には前記液体チャンバ４０の頂壁を貫通するストロー５１が固定的に取付けられ、前記球体チャンバ４８の中には球体４９が置かれ、前記押し箱５０の頂部端面の中には押しヘッド４５がスライドできるように係合取付けられ、前記プッシュホール４４が前記押しヘッド４５の中に設置され、前記押しヘッド４５の底部端面と前記バネチャンバ４７の底壁との間には第二バネ４６が固定的に取付けられ、これにより尻尾３６によって貯蔵箱３９を開け、置き溝３８の中に石鹸３７を置いて使うことができ、蓋４２を回して外し、パイプ４１を通じてシャワージェルを液体チャンバ４０の中に入れ、シャワージェルを使おうとする時、押しヘッド４５を押し、第二バネ４６を圧縮させ、バネチャンバ４７の中の空気がプッシュホール４４から排出され、放す時、バネチャンバ４７の中の気圧が小さくなり、液体チャンバ４０の中のシャワージェルがストロー５１から球体チャンバ４８とバネチャンバ４７の中に入り、再び押しヘッド４５を押し、球体４９がストロー５１を遮り、バネチャンバ４７と球体チャンバ４８の中のシャワージェルがプッシュホール４４から排出される。
【００１５】
有益なまた例を示すように、前記水流れ機構９０は前記歯車チャンバ１４の前後内壁の間に回転できるように係合取付けられる歯車軸１３を含み、前記歯車軸１３には第一歯車１２が固定的に取付けられ、前記歯車チャンバ１４の後側内壁には前記玩具本体１１の前側端面を貫通する握りロッド４３が回転できるように係合取付けられ、前記握りロッド４３において前記歯車チャンバ１４の中には第二歯車５２が固定的に取付けられ、前記第二歯車５２が前記第一歯車１２と噛み合い、手動で握りロッド４３を回し、第二歯車５２を回転連動させ、第二歯車５２が噛合によって第一歯車１２を回転連動させ、歯車ポンプを形成し、進入パイプ１７を経由して水を吸上げ、流出穴１５から送り出す。
【００１６】
使用する時、移動板１９を回転させ、固定板２１を伸長することができ、補助ブロック２４によって角度を調整でき、第一吸盤２５を浴槽の壁に吸着させ、第二吸盤３３を浴槽の縁に吸着させ、玩具本体１１を固定し、尻尾３６によって貯蔵箱３９を開け、置き溝３８の中に石鹸３７を置いて使うことができ、蓋４２を回して外し、パイプ４１を通じてシャワージェルを液体チャンバ４０の中に入れ、シャワージェルを使おうとする時、押しヘッド４５を押し、第二バネ４６を圧縮させ、バネチャンバ４７の中の空気がプッシュホール４４から排出され、放す時、バネチャンバ４７の中の気圧が小さくなり、液体チャンバ４０の中のシャワージェルがストロー５１から球体チャンバ４８とバネチャンバ４７の中に入り、再び押しヘッド４５を押し、球体４９がストロー５１を遮り、バネチャンバ４７と球体チャンバ４８の中のシャワージェルがプッシュホール４４から排出され、手動で握りロッド４３を回し、第二歯車５２を回転連動させ、第二歯車５２が噛合によって第一歯車１２を回転連動させ、歯車ポンプを形成し、進入パイプ１７を経由して水を吸上げ、流出穴１５から送り出す。
【００１７】
本発明の有益効果は：本発明は構造が簡単で、操作が便利で、固定機構の中の第一吸盤と第二吸盤によって玩具本体を浴槽に固定し、子供が遊ぶ時投げまくって損害に致すことを防止し、水流れ機構によって浴槽内の水を吸い上げてまた水が流出穴から流出することができ、子供にため遊びの機能を提供し、貯蔵機構によって石鹸とシャワージェルを貯蔵でき、押しヘッドを押してシャワージェルを取り出すことができ、玩具に貯蔵機能を持たせ、宣伝価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020157020.tif 000003
【図２】
2020157020.tif 000004
【図３】
2020157020.tif 000005
【手続補正書】
【提出日】令和1年8月31日(2019.8.31)
【手続補正１】
【補正対象書類名】特許請求の範囲
【補正対象項目名】全文
【補正方法】変更
【補正の内容】
【特許請求の範囲】
【請求項１】
玩具本体を含み、前記玩具本体の中には貯蔵チャンバが設けられ、前記貯蔵チャンバの上方には液体チャンバが設けられ、前記貯蔵チャンバと前記液体チャンバの中にはシャワージェルを貯蔵できる貯蔵機構が設けられ、前記貯蔵機構の中には球体チャンバが含まれ、前記球体チャンバの上方にはバネチャンバが連通して設けられ、前記バネチャンバの上方にはプッシュホールが連通して設けられ、前記貯蔵機構の下方には固定機能を有する固定機構が設けられ、前記固定機構の中には移動チャンバが設けられ、前記移動チャンバの中には伸縮板がスライドできるように取付けられ、前記移動チャンバの右側にはリミットチャンバが連通して設けられ、前記リミットチャンバの中にはリミット板がスライドできるように取付けられ、前記玩具本体の中には水が流れられる水流れ機構が設けられ、前記水流れ機構の中には歯車チャンバが設けられ、前記歯車チャンバの下方には進入パイプが連通して設けられ、前記歯車チャンバの上方には流出穴が連通して設けられ、
前記固定機構は前後対称のように前記玩具本体の底部端面に固定的に取付けられる回転板を含み、前後の前記回転板の間には移動板が回転できるように取付けられ、前記移動板の前側端面にはねじりばねが固定的に取付けられ、前記移動チャンバが前記移動板の中に設置され、前記伸縮板の下端と前記移動板の下方に位置する固定板とが固定的に連結され、前記リミット板と前記伸縮板とが固定的に接続され、前記リミット板の底部端面と前記リミットチャンバの底壁との間には第一バネが固定的に取付けられ、前記固定板の中には右方に開口した固定チャンバが設けられ、前記固定チャンバの前端壁と後端壁との間には補助ロッドが回転できるように取付けられ、前記補助ロッドには補助ブロックが固定的に取付けられ、前記補助ブロックの右側端面には第一吸盤が固定的に取付けられ、前記玩具本体の底部端面において前記回転板の右側には安定ブロックが固定的に取付けられ、前記安定ブロックの中には補助チャンバが設けられ、前記補助チャンバの中には左右対称の二つのリミットブロックがスライドできるように取付けられ、左右の前記リミットブロックの間には引張ロッドが固定的に取付けられ、前記引張ロッドの底部端面には第二吸盤が固定的に取付けられ、
手動で移動板を回転させた後、固定板を伸長することができ、補助ブロックによって角度を調整でき、第一吸盤を浴槽の壁に吸着させ、第二吸盤を浴槽の縁に吸着させ、これにより玩具本体を固定し、
前記貯蔵機構は前記貯蔵チャンバの中にスライドできるように取付けられる貯蔵箱を含み、前記貯蔵箱の中には上方に開口した置き溝が設けられ、前記置き溝の中には石鹸が置かれ、前記貯蔵箱の右側端面には尻尾が固定的に取付けられ、前記液体チャンバの頂壁には前記玩具本体の頂部端面を貫通するパイプが固定的に取付けられ、前記パイプには蓋がねじ山によって取付けられ、前記玩具本体の頂部端面には押し箱が固定的に取付けられ、前記球体チャンバが前記押し箱の中に設置され、前記液体チャンバの中にはストローが取り付けられ、前記ストローの上端が前記球体チャンバと前記液体チャンバとの間の壁を貫通しており、前記球体チャンバの中には球体が置かれており、前記押し箱の頂部端面の中には前記バネチャンバと連通している押しヘッドがスライドできるように取り付けられ、前記プッシュホールが前記押しヘッドの中に設置され、前記押しヘッドの底部端面と前記バネチャンバの底壁との間には第二バネが固定的に取付けられ、手動で尻尾で貯蔵箱を開け、置き溝の中に石鹸を置いて使うことができ、蓋を回して外し、パイプを通じてシャワージェルを液体チャンバの中に入れ、シャワージェルを使おうとする時、押しヘッドを押し、第二バネを圧縮させ、バネチャンバの中の空気がプッシュホールから排出され、放す時、バネチャンバの中の気圧が小さくなり、液体チャンバの中のシャワージェルがストローから球体チャンバとバネチャンバの中に入り、再び押しヘッドを押し、球体がストローを遮り、バネチャンバと球体チャンバの中のシャワージェルがプッシュホールから排出され、
前記水流れ機構は前記歯車チャンバの前端壁と後端壁との間に回転できるように取付けられる歯車軸を含み、前記歯車軸には第一歯車が固定的に取付けられ、前記歯車チャンバの後側内壁には前記玩具本体の前側端面を貫通する握りロッドが回転できるように取付けられ、前記握りロッドにおいて前記歯車チャンバの中には第二歯車が固定的に取付けられ、前記第二歯車が前記第一歯車と噛み合い、手動で握りロッドを回し、第二歯車を回転連動させ、第二歯車が噛合によって第一歯車を回転連動させ、歯車ポンプを形成し、進入パイプを経由して水を吸上げ、流出穴から送り出すことを特徴とする多機能子供浴室玩具。
【手続補正２】
【補正対象書類名】明細書
【補正対象項目名】全文
【補正方法】変更
【補正の内容】
【発明の詳細な説明】
【技術分野】
【０００１】
本発明は玩具分野に関し、具体的には多機能子供浴室玩具である。
【背景技術】
【０００２】
子供が入浴する時に、楽しませるため玩具が常備品になっており、現有技術において、一般的な子供浴室玩具は遊びものとして、その中にシャワージェルなどを置いて使うことができなく、また、固定できないため、子供がよく投げまくって破損に致すこともあり、従って、固定でき、且つシャワージェルなどを置くことができる多機能子供浴室玩具が必要である。。
【先行技術文献】
【特許文献】
【０００３】
【特許文献１】中国特許出願公開第１０５９０３２１０号明細書
【発明の概要】
【発明が解決しようとする課題】
【０００４】
本発明の目的は多機能子供浴室玩具を提供し、それは上記の現在の技術中の問題を解決できる。
【課題を解決するための手段】
【０００５】
本発明は以下の技術プランを通じて実現する：本発明の多機能子供浴室玩具は、玩具本体を含み、前記玩具本体の中には貯蔵チャンバが設けられ、前記貯蔵チャンバの上方には液体チャンバが設けられ、前記貯蔵チャンバと前記液体チャンバの中にはシャワージェルを貯蔵できる貯蔵機構が設けられ、前記貯蔵機構の中には球体チャンバが含まれ、前記球体チャンバの上方にはバネチャンバが連通して設けられ、前記バネチャンバの上方にはプッシュホールが連通して設けられ、前記貯蔵機構の下方には固定機能を有する固定機構が設けられ、前記固定機構の中には移動チャンバが設けられ、前記移動チャンバの中には伸縮板がスライドできるように取付けられ、前記移動チャンバの右側にはリミットチャンバが連通して設けられ、前記リミットチャンバの中にはリミット板がスライドできるように取付けられ、前記玩具本体の中には水が流れられる水流れ機構が設けられ、前記水流れ機構の中には歯車チャンバが設けられ、前記歯車チャンバの下方には進入パイプが連通して設けられ、前記歯車チャンバの上方には流出穴が連通して設けられる。
【０００６】
優選的には、前記固定機構は前後対称のように前記玩具本体の底部端面に固定的に取付けられる回転板を含み、前後の前記回転板の間には移動板が回転できるように取付けられ、前記移動板の前側端面にはねじりばねが固定的に取付けられ、前記移動チャンバが前記移動板の中に設置され、前記伸縮板の下端と前記移動板の下方に位置する固定板とが固定的に連結され、前記リミット板と前記伸縮板とが固定的に接続され、前記リミット板の底部端面と前記リミットチャンバの底壁との間には第一バネが固定的に取付けられ、前記固定板の中には右方に開口した固定チャンバが設けられ、前記固定チャンバの前端壁と後端壁との間には補助ロッドが回転できるように取付けられ、前記補助ロッドには補助ブロックが固定的に取付けられ、前記補助ブロックの右側端面には第一吸盤が固定的に取付けられ、前記玩具本体の底部端面において前記回転板の右側には安定ブロックが固定的に取付けられ、前記安定ブロックの中には補助チャンバが設けられ、前記補助チャンバの中には左右対称の二つのリミットブロックがスライドできるように取付けられ、左右の前記リミットブロックの間には引張ロッドが固定的に取付けられ、前記引張ロッドの底部端面には第二吸盤が固定的に取付けられる。
【０００７】
優選的には、前記貯蔵機構は前記貯蔵チャンバの中にスライドできるように取付けられる貯蔵箱を含み、前記貯蔵箱の中には上方に開口した置き溝が設けられ、前記置き溝の中には石鹸が置かれ、前記貯蔵箱の右側端面には尻尾が固定的に取付けられ、前記液体チャンバの頂壁には前記玩具本体の頂部端面を貫通するパイプが固定的に取付けられ、前記パイプには蓋がねじ山によって取付けられ、前記玩具本体の頂部端面には押し箱が固定的に取付けられ、前記球体チャンバが前記押し箱の中に設置され、前記液体チャンバの中にはストローが取り付けられ、前記ストローの上端が前記球体チャンバと前記液体チャンバとの間の壁を貫通しており、前記球体チャンバの中には球体が置かれており、前記押し箱の頂部端面の中には前記バネチャンバと連通している押しヘッドがスライドできるように取り付けられ、前記プッシュホールが前記押しヘッドの中に設置され、前記押しヘッドの底部端面と前記バネチャンバの底壁との間には第二バネが固定的に取付けられる。
【０００８】
前記水流れ機構は前記歯車チャンバの前端壁と後端壁との間に回転できるように取付けられる歯車軸を含み、前記歯車軸には第一歯車が固定的に取付けられ、前記歯車チャンバの後側内壁には前記玩具本体の前側端面を貫通する握りロッドが回転できるように取付けられ、前記握りロッドにおいて前記歯車チャンバの中には第二歯車が固定的に取付けられ、前記第二歯車が前記第一歯車と噛み合う。
【発明の効果】
【０００９】
本発明の有益効果は：本発明は構造が簡単で、操作が便利で、固定機構の中の第一吸盤と第二吸盤によって玩具本体を浴槽に固定し、子供が遊ぶ時投げまくって損害に致すことを防止し、水流れ機構によって浴槽内の水を吸い上げてまた水が流出穴から流出することができ、子供にため遊びの機能を提供し、貯蔵機構によって石鹸とシャワージェルを貯蔵でき、押しヘッドを押してシャワージェルを取り出すことができ、玩具に貯蔵機能を持たせ、宣伝価値がある。
【図面の簡単な説明】
【００１０】
【図１】図１は本発明の構成略図
【図２】図２は図１のＡ−Ａの断面構造略図
【図３】図３は図１のＢの拡大略図
【発明を実施するための形態】
【００１１】
下記に図１−３を合わせて本発明について詳しく説明し、また、説明の便利を図るため、下記に記載の上下左右前後方向が図１自身の投影関係の上下左右前後方向と一致することにする。
【００１２】
図１−３を参照し、本発明の多機能子供浴室玩具は、玩具本体１１を含み、前記玩具本体１１の中には貯蔵チャンバ１６が設けられ、前記貯蔵チャンバ１６の上方には液体チャンバ４０が設けられ、前記貯蔵チャンバ１６と前記液体チャンバ４０の中にはシャワージェルを貯蔵できる貯蔵機構８０が設けられ、前記貯蔵機構８０の中には球体チャンバ４８が含まれ、前記球体チャンバ４８の上方にはバネチャンバ４７が連通して設けられ、前記バネチャンバ４７の上方にはプッシュホール４４が連通して設けられ、前記貯蔵機構８０の下方には固定機能を有する固定機構７０が設けられ、前記固定機構７０の中には移動チャンバ２９が設けられ、前記移動チャンバ２９の中には伸縮板２０がスライドできるように取付けられ、前記移動チャンバ２９の右側にはリミットチャンバ２６が連通して設けられ、前記リミットチャンバ２６の中にはリミット板２８がスライドできるように取付けられ、前記玩具本体１１の中には水が流れられる水流れ機構９０が設けられ、前記水流れ機構９０の中には歯車チャンバ１４が設けられ、前記歯車チャンバ１４の下方には進入パイプ１７が連通して設けられ、前記歯車チャンバ１４の上方には流出穴１５が連通して設けられる。
【００１３】
有益なまた例を示すように、前記固定機構７０は前後対称のように前記玩具本体１１の底部端面に固定的に取付けられる回転板１８を含み、前後の前記回転板１８の間には移動板１９が回転できるように取付けられ、前記移動板１９の前側端面にはねじりばね３０が固定的に取付けられ、前記移動チャンバ２９が前記移動板１９の中に設置され、前記伸縮板２０の下端と前記移動板１９の下方に位置する固定板２１とが固定的に連結され、前記リミット板２８と前記伸縮板２０とが固定的に接続され、前記リミット板２８の底部端面と前記リミットチャンバ２６の底壁との間には第一バネ２７が固定的に取付けられ、前記固定板２１の中には右方に開口した固定チャンバ２２が設けられ、前記固定チャンバ２２の前端壁と後端壁との間には補助ロッド２３が回転できるように取付けられ、前記補助ロッド２３には補助ブロック２４が固定的に取付けられ、前記補助ブロック２４の右側端面には第一吸盤２５が固定的に取付けられ、前記玩具本体１１の底部端面において前記回転板１８の右側には安定ブロック３５が固定的に取付けられ、前記安定ブロック３５の中には補助チャンバ３１が設けられ、前記補助チャンバ３１の中には左右対称の二つのリミットブロック３２がスライドできるように取付けられ、左右の前記リミットブロック３２の間には引張ロッド３４が固定的に取付けられ、前記引張ロッド３４の底部端面には第二吸盤３３が固定的に取付けられ、
手動で移動板１９を回転させた後、固定板２１を伸長することができ、補助ブロック２４によって角度を調整でき、第一吸盤２５を浴槽の壁に吸着させ、第二吸盤３３を浴槽の縁に吸着させ、これにより玩具本体１１を固定する。
【００１４】
有益なまた例を示すように、前記貯蔵機構８０は前記貯蔵チャンバ１６の中にスライドできるように取付けられる貯蔵箱３９を含み、前記貯蔵箱３９の中には上方に開口した置き溝３８が設けられ、前記置き溝３８の中には石鹸３７が置かれ、前記貯蔵箱３９の右側端面には尻尾３６が固定的に取付けられ、前記液体チャンバ４０の頂壁には前記玩具本体１１の頂部端面を貫通するパイプ４１が固定的に取付けられ、前記パイプ４１には蓋４２がねじ山によって取付けられ、前記玩具本体１１の頂部端面には押し箱５０が固定的に取付けられ、前記球体チャンバ４８が前記押し箱５０の中に設置され、前記液体チャンバ４０の中にはストロー５１が取り付けられ、前記ストロー５１の上端が前記球体チャンバ４８と前記液体チャンバ４０との間の壁を貫通しており、前記球体チャンバ４８の中には球体４９が置かれており、前記押し箱５０の頂部端面の中には前記バネチャンバ４７と連通している押しヘッド４５がスライドできるように取り付けられ、前記プッシュホール４４が前記押しヘッド４５の中に設置され、前記押しヘッド４５の底部端面と前記バネチャンバ４７の底壁との間には第二バネ４６が固定的に取付けられ、手動で尻尾３６で貯蔵箱３９を開け、置き溝３８の中に石鹸３７を置いて使うことができ、蓋４２を回して外し、パイプ４１を通じてシャワージェルを液体チャンバ４０の中に入れ、シャワージェルを使おうとする時、押しヘッド４５を押し、第二バネ４６を圧縮させ、バネチャンバ４７の中の空気がプッシュホール４４から排出され、放す時、バネチャンバ４７の中の気圧が小さくなり、液体チャンバ４０の中のシャワージェルがストロー５１から球体チャンバ４８とバネチャンバ４７の中に入り、再び押しヘッド４５を押し、球体４９がストロー５１を遮り、バネチャンバ４７と球体チャンバ４８の中のシャワージェルがプッシュホール４４から排出される。
【００１５】
有益なまた例を示すように、前記水流れ機構９０は前記歯車チャンバ１４の前端壁と後端壁との間に回転できるように取付けられる歯車軸１３を含み、前記歯車軸１３には第一歯車１２が固定的に取付けられ、前記歯車チャンバ１４の後側内壁には前記玩具本体１１の前側端面を貫通する握りロッド４３が回転できるように取付けられ、前記握りロッド４３において前記歯車チャンバ１４の中には第二歯車５２が固定的に取付けられ、前記第二歯車５２が前記第一歯車１２と噛み合い、手動で握りロッド４３を回し、第二歯車５２を回転連動させ、第二歯車５２が噛合によって第一歯車１２を回転連動させ、歯車ポンプを形成し、進入パイプ１７を経由して水を吸上げ、流出穴１５から送り出す。
【００１６】
使用する時、移動板１９を回転させ、固定板２１を伸長することができ、補助ブロック２４によって角度を調整でき、第一吸盤２５を浴槽の壁に吸着させ、第二吸盤３３を浴槽の縁に吸着させ、玩具本体１１を固定し、尻尾３６によって貯蔵箱３９を開け、置き溝３８の中に石鹸３７を置いて使うことができ、蓋４２を回して外し、パイプ４１を通じてシャワージェルを液体チャンバ４０の中に入れ、シャワージェルを使おうとする時、押しヘッド４５を押し、第二バネ４６を圧縮させ、バネチャンバ４７の中の空気がプッシュホール４４から排出され、放す時、バネチャンバ４７の中の気圧が小さくなり、液体チャンバ４０の中のシャワージェルがストロー５１から球体チャンバ４８とバネチャンバ４７の中に入り、再び押しヘッド４５を押し、球体４９がストロー５１を遮り、バネチャンバ４７と球体チャンバ４８の中のシャワージェルがプッシュホール４４から排出され、手動で握りロッド４３を回し、第二歯車５２を回転連動させ、第二歯車５２が噛合によって第一歯車１２を回転連動させ、歯車ポンプを形成し、進入パイプ１７を経由して水を吸上げ、流出穴１５から送り出す。
【００１７】
本発明の有益効果は：本発明は構造が簡単で、操作が便利で、固定機構の中の第一吸盤と第二吸盤によって玩具本体を浴槽に固定し、子供が遊ぶ時投げまくって損害に致すことを防止し、水流れ機構によって浴槽内の水を吸い上げてまた水が流出穴から流出することができ、子供にため遊びの機能を提供し、貯蔵機構によって石鹸とシャワージェルを貯蔵でき、押しヘッドを押してシャワージェルを取り出すことができ、玩具に貯蔵機能を持たせ、宣伝価値がある。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。